(57)【要約】【課題】どのような温度、湿度環境下で使用されていたのかを調べるのが可能なＩＣタグを提供する。【解決手段】ＩＣタグ１はインレット層３を有しており、インレット層３の一方の面には両面テープ５が設けられている。  インレット層３の他の面には上紙７が設けられており、上紙７には、温度変色部としての温度変色インキ１７ａ、１７ｂおよび湿度変色部としての湿度履歴表示部４１が設けられている。  温度変色インキ１７ａ、１７ｂは、インレット層３内のＩＣメモリおよび／またはアンテナ２３ａ、２３ｂが動作可能な温度範囲外の温度になると不可逆的に変色するインキである。  湿度履歴表示部４１はＩＣメモリおよび／またはアンテナが動作可能な湿度範囲外の湿度になると不可逆的に変色する部分である。【選択図】図１
2008146558.tif 000002
【特許請求の範囲】
【請求項１】
少なくとも、ＩＣメモリと、前記ＩＣメモリに接続されたアンテナと、を有するＩＣタグであって、
一定範囲外の温度になると不可逆的に変色する温度変色部が設けられていることを特徴とするＩＣタグ。
【請求項２】
前記温度変色部は、温度により不可逆的に変色する温度変色インキからなることを特徴とする請求項１記載のＩＣタグ。
【請求項３】
前記ＩＣメモリおよび前記アンテナはインレット層に設けられ、
前記インレット層の一方の面には、両面に粘着層が設けられた両面テープが設けられ、
前記インレット層の他の面には前記インレット層を保護する上紙が設けられ、
前記上紙上には前記温度変色部が設けられていることを特徴とする請求項１記載のＩＣタグ。
【請求項４】
少なくとも、ＩＣメモリと、前記ＩＣメモリに接続されたアンテナと、を有するＩＣタグであって、
一定範囲外の湿度になると不可逆的に変色する湿度変色部が設けられていることを特徴とするＩＣタグ。
【請求項５】
前記ＩＣメモリおよび前記アンテナはインレット層に設けられ、
前記インレット層の一方の面には、両面に粘着層が設けられた両面テープが設けられ、
前記インレット層の他の面には前記インレット層を保護する上紙が設けられ、
前記上紙上には前記湿度変色部が設けられていることを特徴とする請求項４記載のＩＣタグ。
【請求項６】
前記湿度変色部は、
水溶性染料と、前記水溶性顔料の色を隠蔽する非水溶性の隠蔽用顔料と、を含有する湿度履歴表示用インキからなる着色部と、
前記着色部に隣接して設けられ、前記水溶性染料を吸収可能な染色部と、
を有し、
前記水溶性染料が水と接触すると、前記水溶性染料が前記隠蔽用顔料と分離して前記水に溶出し、前記染色部を染色することにより、前記湿度変色部が不可逆的に変色することを特徴とする請求項４記載のＩＣタグ。
【請求項７】
前記染色部は、前記ＩＣメモリおよび前記アンテナが設けられたインレット層上に設けられた上紙であることを特徴とする請求項６記載のＩＣタグ。
【請求項８】
前記湿度変色部は、湿度により不可逆的に変色する湿度変色インキからなることを特徴とする請求項４記載のＩＣタグ。
【請求項９】
両面に粘着層が設けられた両面テープの一方の面に、ＩＣメモリと、前記ＩＣメモリに接続されたアンテナと、を有するインレット層を設ける工程（ａ）と、
前記インレット層上に上紙を設ける工程（ｂ）と、
前記上紙上に、一定範囲外の温度になると不可逆的に変色する温度変色部を印刷する工程（ｃ）と、
を有することを特徴とするＩＣタグの製造方法。
【請求項１０】
両面に粘着層が設けられた両面テープの一方の面に、ＩＣメモリと、前記ＩＣメモリに接続されたアンテナと、を有するインレット層を設ける工程（ａ）と、
前記インレット層上に上紙を設ける工程（ｂ）と、
前記上紙上に、一定範囲外の湿度になると不可逆的に変色する湿度変色部を設ける工程（ｃ）と、
を有することを特徴とするＩＣタグの製造方法。
【発明の詳細な説明】
【技術分野】
【０００１】
本発明は、ＩＣタグおよびＩＣタグの製造方法に関するものである。
【背景技術】
【０００２】
従来、商品等の物流管理や商品の情報表示のため、商品の情報を記載したタグ（荷札）を商品に付する場合が多い。
この場合、情報を文字で記載すると、コンピュータ等を用いた情報の読取や管理が困難であるため、情報をバーコード等の認識手段を用いて記載し、赤外線等を用いた読取装置でバーコードの読取を行うことにより、バーコードに記載された情報を認識している。
【０００３】
一方、バーコードは記載できる情報の量に限界があることや、読取装置が一度に１つのバーコードしか読取を行えないという欠点がある。
そこで近年では、ＩＣメモリに情報を記載し、ＩＣメモリに接続されたアンテナを用いて読取装置と無線で通信する、ＩＣタグと呼ばれる新たな認識手段がタグとして用いられている。
【０００４】
ＩＣタグはＩＣメモリを用いているため、バーコードと比べて記載（記憶）できる情報量がはるかに多いという利点がある。
また、ＩＣタグは無線で通信を行うため、読取装置は一度に複数のＩＣタグと通信を行うことができ、バーコードと比べて読取に要する時間を大幅に短縮することができるという利点もある。
このようなＩＣタグとしては以下のようなものが知られている（特許文献１）。
【特許文献１】特開２００２-１０２３１０号公報
【発明の開示】
【発明が解決しようとする課題】
【０００５】
ここで、ＩＣタグは電子部品であるため、性能が劣化したり故障したりする場合がある。
劣化や故障の原因としては、ＩＣメモリやアンテナの初期不良が原因となる場合があるほか、ＩＣメモリやアンテナの動作可能な温度や湿度の範囲外でのＩＣタグの使用、例えば高温、低温、高湿環境下での使用が原因となる場合がある。
【０００６】
しかしながら、従来はＩＣタグが故障した場合でも、どのような温度、湿度環境下でＩＣタグが使用されていたのかを調べるのが困難であり、劣化や故障の原因を特定するのが困難であるという問題があった。
【０００７】
本発明は、このような問題に鑑みてなされたもので、その目的は、どのような温度、湿度環境下で使用されていたのかを調べるのが可能なＩＣタグを提供することにある。
【課題を解決するための手段】
【０００８】
前述した目的を達成するために、第１の発明は、少なくとも、ＩＣメモリと、前記ＩＣメモリに接続されたアンテナと、を有するＩＣタグであって、一定範囲外の温度になると不可逆的に変色する温度変色部が設けられていることを特徴とするＩＣタグである。
【０００９】
前記温度変色部は、温度により不可逆的に変色する温度変色インキからなる。
前記ＩＣメモリおよび前記アンテナはインレット層に設けられ、前記インレット層の一方の面には、両面に粘着層が設けられた両面テープが設けられ、前記インレット層の他の面には前記インレット層を保護する上紙が設けられ、前記上紙上には前記温度変色部が設けられていてもよい。
【００１０】
第２の発明は、少なくとも、ＩＣメモリと、前記ＩＣメモリに接続されたアンテナと、を有するＩＣタグであって、一定範囲外の湿度になると不可逆的に変色する湿度変色部が設けられていることを特徴とするＩＣタグである。
【００１１】
前記ＩＣメモリおよび前記アンテナはインレット層に設けられ、前記インレット層の一方の面には、両面に粘着層が設けられた両面テープが設けられ、前記インレット層の他の面には前記インレット層を保護する上紙が設けられ、前記上紙上には前記湿度変色部が設けられていてもよい。
【００１２】
前記湿度変色部は、水溶性染料と、前記水溶性顔料の色を隠蔽する非水溶性の隠蔽用顔料と、を含有する湿度履歴表示用インキからなる着色部と、前記着色部に隣接して設けられ、前記水溶性染料を吸収可能な染色部と、を有し、前記水溶性染料が水と接触すると、前記水溶性染料が前記隠蔽用顔料と分離して前記水に溶出し、前記染色部を染色することにより、前記湿度変色部が不可逆的に変色してもよい。
前記染色部は、前記ＩＣメモリおよび前記アンテナが設けられたインレット層上に設けられた上紙であってもよい。
【００１３】
前記湿度変色部は、湿度により不可逆的に変色する湿度変色インキからなってもよい。
【００１４】
第３の発明は、両面に粘着層が設けられた両面テープの一方の面に、ＩＣメモリと、前記ＩＣメモリに接続されたアンテナと、を有するインレット層を設ける工程（ａ）と、前記インレット層上に上紙を設ける工程（ｂ）と、前記上紙上に、一定範囲外の温度になると不可逆的に変色する温度変色部を印刷する工程（ｃ）と、を有することを特徴とするＩＣタグの製造方法である。
【００１５】
第４の発明は、両面に粘着層が設けられた両面テープの一方の面に、ＩＣメモリと、前記ＩＣメモリに接続されたアンテナと、を有するインレット層を設ける工程（ａ）と、前記インレット層上に上紙を設ける工程（ｂ）と、前記上紙上に、一定範囲外の湿度になると不可逆的に変色する湿度変色部を設ける工程（ｃ）と、を有することを特徴とするＩＣタグの製造方法である。
【００１６】
第１の発明では、ＩＣタグが、一定範囲外（ＩＣメモリおよび／またはアンテナが動作可能な温度範囲外）の温度になると不可逆的に変色する温度変色部を備えている。
また、第２の発明では、ＩＣタグが、一定範囲外（ＩＣメモリおよび／またはアンテナが動作可能な湿度範囲外）の湿度になると不可逆的に変色する湿度変色部を備えている。
【発明の効果】
【００１７】
第１の発明によれば、ＩＣタグが、一定範囲外の温度になると不可逆的に変色する温度変色部を備えているので、ＩＣタグがどのような温度環境下で使用されていたのかを調べることができ、劣化や故障の原因の特定が容易になる。
【００１８】
また、第２の発明によれば、ＩＣタグが、一定範囲外の湿度になると不可逆的に変色する湿度変色部を備えているので、ＩＣタグがどのような湿度環境下で使用されていたのかを調べることができ、劣化や故障の原因の特定が容易になる。
【発明を実施するための最良の形態】
【００１９】
以下、図面に基づいて本発明に好適な実施形態を詳細に説明する。図１は、第１の実施形態に係るＩＣタグ１の層構成を示す断面図であって、図２および図４〜図６は図１のＡ方向矢視図、図３は図１のインレット層３のＡ方向矢視図である。
【００２０】
図１および図２に示すように、ＩＣタグ１はインレット層３を有しており、インレット層３の一方の面には両面テープ５が設けられている。
インレット層３の他の面には上紙７が設けられている。
上紙７には、温度変色部としての温度変色インキ１７ａ、１７ｂおよび湿度変色部としての湿度履歴表示部４１が設けられている。
【００２１】
インレット層３は、ＩＣタグ１が付されている製品の情報を記憶し、また外部と情報の通信を行う部材である。
図３に示すように、インレット層３は基材２１を有し、基材２１上にはアンテナ２３ａ、２３ｂが設けられている。
【００２２】
アンテナ２３ａ、２３ｂの一方の端部には接続端子２５ａ、２５ｂが接続され、接続端子２５ａ、２５ｂにはＩＣメモリを内蔵したＩＣチップ２９が接続されている。
【００２３】
アンテナ２３ａ、２３ｂの他の端部には接続端子３１ａ、３１ｂが設けられ、接続端子３１ａと接続端子３１ｂとは、導通部材３３によって互いに接続されている。
【００２４】
ＩＣチップ２９は、ＩＣタグ１が取り付けられた製品の情報を記憶する部分であって、内蔵されたＩＣメモリに情報が記憶されている。
【００２５】
アンテナ２３ａ、２３ｂは、ＩＣメモリと外部との通信に用いられる部材である。
ＩＣメモリとアンテナ２３ａ、２３ｂは、共振回路を形成することにより、図示しない読取装置からの一定周波数の呼び出し電波を受信することができる。
【００２６】
そして、ＩＣメモリとアンテナ２３ａ、２３ｂは、ＩＣメモリ内の情報を読取装置に応答して返すことができる。
このようにしてＩＣメモリとアンテナ２３ａ、２３ｂは、読取装置と通信を行う。
【００２７】
なお、インレット層３の基材２１を構成する材料は、安価で耐久性、耐熱性に優れた材料であることが好ましい。
このような材料としては、例えばＰＥＴ（Polyethylene terephthalate）が挙げられる。
【００２８】
また、インレット層３のアンテナ２３ａ、２３ｂを構成する材料としては、アルミ等の金属が挙げられる。
そして、上記の金属を金属箔にして基材２１上にラミネートし、フォトエッチングやレジスト印刷後のエッチングを行うことによりアンテナの形状が形成される。
【００２９】
なお、アンテナ２３ａ、２３ｂを構成する材料として導電性インキを用いてもよい。
導電性インキとしては、例えばカーボン顔料や黒鉛、銀粉、アルミ紛あるいはそれらの混合体を使用したオフセットインキやグラビアインキ、あるいはシルクスクリーン用印刷インキが挙げられる。
【００３０】
アンテナ２３ａ、２３ｂを構成する材料として導電性インキを用いる場合は、基材２１上に導電性インキを印刷することによりアンテナ２３ａ、２３ｂが形成される。
【００３１】
なお、第１の実施形態では、ＩＣチップ２９とアンテナ２３ａ、２３ｂが別の部材として構成されているが、ＩＣチップ内にアンテナコイルを設けた、いわゆるコイルオンチップ型のＩＣチップを用いてもよい。
【００３２】
一方、両面テープ５はインレット層３を保護すると共に、ＩＣタグ１を製品に取り付けるための部材であり、ベースフィルム層９と、ベースフィルム層９の両面に設けられた粘着層１１ａ、１１ｂを有している。
【００３３】
そして、粘着層１１ｂをインレット層３の一方の面に貼り付けることにより、インレット層３に両面テープ５が設けられる。
【００３４】
また、粘着層１１ａの表面を製品の表面に張り付けることによって、ＩＣタグ１は製品に取り付けられる。
【００３５】
なお、両面テープ５のベースフィルム層９を構成する材料としては、基材２１を構成する材料と同様のものが挙げられる。ただし薄いものが求められる。
また、両面テープ５の粘着層１１ａ、１１ｂを構成する材料としては、例えばアクリル系エマルジョンが挙げられる。
【００３６】
上紙７はインレット層３を保護するための部材であり、表層１３と、表層１３の一方の面に設けられた粘着層１５を有している。
【００３７】
そして、粘着層１５をインレット層３の他の面に貼り付けることにより、インレット層３に上紙７が設けられる。
【００３８】
表層１３を構成する材料としては、基材２１を構成する材料と同様のものが挙げられる。
また、粘着層１５を構成する材料としては、例えばアクリル系エマルジョンが挙げられる。
【００３９】
温度変色インキ１７ａ、１７ｂは一定範囲外の温度、具体的には（ＩＣチップ２９内の）ＩＣメモリおよび／またはアンテナ２３ａ、２３ｂが動作可能な温度範囲外の温度になると不可逆的に変色するインキである。
即ち、温度変色インキ１７ａ、１７ｂは、ＩＣタグ１が動作可能な温度範囲外の温度になると不可逆的に変色するインキである。
【００４０】
なお、温度変色インキ１７ａは、ＩＣメモリおよび／またはアンテナ２３ａ、２３ｂが動作可能な上限温度以上の温度で不可逆的に変色するインキであり、温度変色インキ１７ｂは下限温度以下の温度で不可逆的に変色するインキである。
【００４１】
ＩＣメモリおよび／またはアンテナ２３ａ、２３ｂが動作可能な温度範囲内の環境にＩＣタグ１が置かれている場合は、図２に示すように、温度変色インキ１７ａ、１７ｂは変色しない。
【００４２】
一方、ＩＣメモリおよび／またはアンテナ２３ａ、２３ｂが動作可能な上限温度以上の環境にＩＣタグ１が置かれた場合は、図４に示すように、温度変色インキ１７ａが不可逆的に変色する。
【００４３】
また、ＩＣメモリおよび／またはアンテナ２３ａ、２３ｂが動作可能な下限温度以下の環境にＩＣタグ１が置かれた場合は、図５に示すように、温度変色インキ１７ｂが不可逆的に変色する。
【００４４】
ここで、変色は不可逆的であるため、その後にＩＣメモリおよび／またはアンテナ２３ａ、２３ｂが動作可能な温度範囲内の環境にＩＣタグ１が置かれた場合でも、温度変色インキ１７ａ、１７ｂの色は元に戻らない。
【００４５】
従って、温度変色インキ１７ａ、１７ｂの変色の有無を見ることにより、ＩＣメモリおよび／またはアンテナ２３ａ、２３ｂが動作可能な温度範囲外の環境にＩＣタグ１が置かれていたか否かを視覚的に認識することができる。
【００４６】
ここで、上限温度とは、例えば摂氏９０度であり、下限温度としては、例えば摂氏マイナス４０度である。
【００４７】
温度変色インキ１７ａ、１７ｂを構成する材料としては、温度により不可逆的に変色するインキであれば、特に限定されないが、例えばロイコ染料のカプセル化インキが挙げられる。
【００４８】
ロイコ染料のカプセル化インキとは、温度で変色する染料であるロイコ染料を封入したマイクロカプセルを有するインキである。
【００４９】
ロイコ染料とは、酸化還元反応によって変色する化合物を含む染料であり、顕色材との酸化還元反応により変色する。
従って不可逆的に変色するものであれば、温度変色インキ１７ａ、１７ｂの材料として用いることができる。
【００５０】
ただし、ロイコ染料もしくは顕色材は単体ではなく、染料と顕色材と溶剤の組み合わせで変色反応が生じるため、空気中に放置しておくと、空気中の酸素と反応してしまう場合があるため、マイクロカプセルに封入することにより、これらの影響を排除している。
また、インキ化するための分散性を得るためにマイクロカプセル化している。
【００５１】
第１の実施形態ではロイコ染料として、公知のものを用いることができ、例えばジフェニルメタンフタリド類、フルオラン類、ジフェニルメタンアザフタリド類、インドリルフタリド類、フェニルインドリルフタリド類、フェニルインドリルアザフタリド類、スチリルキノリン類、ピリジン類、キナゾリン類、ビスキナゾリン類等の化合物が挙げられる。
【００５２】
また、顕色材も、公知のものを用いることができ、例えばフェノール性の化合物が挙げられる。
さらに、マイクロカプセルの材料も公知のものを用いることができ、例えば樹脂が挙げられる。
【００５３】
湿度履歴表示部４１は、一定範囲外の湿度、具体的には（ＩＣチップ２９内の）ＩＣメモリおよび／またはアンテナが動作可能な湿度範囲外の湿度になると不可逆的に変色する部分である。
【００５４】
図１および図２に示すように、湿度履歴表示部４１は、染色部４５を有し、染色部４５には着色部としての湿度履歴表示用インキ４３が設けられている。
染色部４５は後述する水溶性染料５１により染色される部分であり、吸水性を有する材料で構成される。このような材料としては、例えば紙が挙げられる。
【００５５】
湿度履歴表示用インキ４３は、水溶性染料５１と非水溶性の隠蔽用顔料を含有するインキである。
水溶性染料５１は、後述するように染色部４５を染色する染料であり、インキ中に分散するものが使用できる。このような染料としては、例えば食用色素を含むものが上げられる。
【００５６】
隠蔽用顔料は、水溶性染料５１の発色を隠蔽する顔料であり、公知の無機顔料、有機顔料が使用できる。
中でも隠蔽性の観点からはカーボンブラック等の墨色やこれに近い色が好ましい。
即ち、湿度履歴表示用インキ４３は、隠蔽用顔料の色が水溶性染料５１の色を隠蔽しており、視覚的に認識できるのは隠蔽用顔料の色のみである。
【００５７】
ＩＣメモリおよび／またはアンテナ２３ａ、２３ｂが動作可能な湿度範囲内の環境にＩＣタグ１が置かれている場合は、水溶性染料５１は湿度履歴表示用インキ４３中に分散しており、隠蔽用顔料に隠蔽されている。
従って、図２に示すように、湿度履歴表示用インキ４３の色として視覚的に認識できる色は隠蔽用顔料の色のみである。
【００５８】
一方、ＩＣメモリおよび／またはアンテナ２３ａ、２３ｂが動作可能な湿度範囲外の環境にＩＣタグ１が置かれた場合、例えばＩＣタグ１が結露するような環境に置かれた場合は、湿度履歴表示用インキ４３に空気中の水分が付着する。
【００５９】
すると、水溶性染料５１は水溶性であるため、湿度履歴表示用インキ４３から分離して、付着した水に溶出する。
そして、付着した水に溶出した水溶性染料５１は、図６に示すように染色部４５に染み出すことにより、染色部４５を染色する。
【００６０】
即ち、湿度履歴表示部４１は変色する。
なお、隠蔽用顔料は、非水溶性なので、空気中の水分が付着しても、湿度履歴表示用インキ４３から分離して、付着した水に溶出することはない。
【００６１】
つまり、湿度履歴表示部４１における湿度履歴表示用インキ４３は、インキ自体が変色するのではなく、水分との接触で水溶性染料５１が分離することにより、染色部４５を染色（変色）する。
【００６２】
従って、湿度履歴表示部４１（染色部４５）の変色の有無を見ることにより、ＩＣメモリおよび／またはアンテナ２３ａ、２３ｂが動作可能な湿度範囲外の環境にＩＣタグ１が置かれていたか否かを視覚的に認識することができる。
【００６３】
このように、ＩＣタグ１には温度変色インキ１７ａ、１７ｂと湿度履歴表示部４１が設けられているため、ＩＣタグ１の性能が劣化したり故障したりした場合は、温度変色インキ１７ａ、１７ｂと湿度履歴表示部４１の変色の有無を確認することにより、故障の原因を特定することができる。
【００６４】
例えば、性能が劣化したり故障したりしたＩＣタグ１において、温度変色インキ１７ａ、１７ｂもしくは湿度履歴表示部４１が変色していた場合は、劣化や故障の原因は、温度や湿度の環境にあった可能性が推察される。
【００６５】
一方、温度変色インキ１７ａ、１７ｂもしくは湿度履歴表示部４１が変色していない場合は、劣化や故障の原因は、温度や湿度の環境にはなく、初期不良や他の環境にあったと判断することができる。
従って、ＩＣタグ１の劣化や故障の原因の特定が従来と比べて容易になる。
【００６６】
ここで、ＩＣタグ１の製造方法について説明する。
図７〜図９はＩＣタグ１の製造方法を示す図である。
【００６７】
まず、図７（ａ）に示すような両面テープ５を用意する。
両面テープ５の構造は先に述べた通りであり、ベースフィルム層９と、ベースフィルム層９の両面に設けられた粘着層１１ａ、１１ｂを有しているが、粘着層１１ａ、１１ｂには離型紙であるセパレータ３５ａ、３５ｂが設けられている。
【００６８】
次に、図７（ｂ）に示すように、セパレータ３５ｂを粘着層１１ｂから剥離し、粘着層１１ｂにインレット層３を設ける。
【００６９】
次に、図７（ｃ）に示すように、セパレータ３５ａを、粘着層１１ａから剥離し、粘着層１１ａにセパレータ３７を設ける。
セパレータ３７は、セパレータ３５ａと同様の離型紙である。
【００７０】
ただし、セパレータ３７は長手方向に延長して設けられており、後述するように、複数のＩＣタグを設けることができるようになっている。
なお、セパレータ３７を設けずに、セパレータ３５ａを残してもよい。
【００７１】
次に、図８（ａ）に示すように、インレット層３上に上紙７を設ける。
最後に図８（ｂ）に示すように、上紙７上に温度変色インキ１７ａ、１７ｂを印刷により設け、また湿度履歴表示部４１を上紙７上に貼り付けることにより、セパレータ３７上にＩＣタグ１が設けられる。
【００７２】
なお、湿度履歴表示部４１の湿度履歴表示用インキ４３は、印刷により染色部４５に設けられる。
【００７３】
以上の工程により、ＩＣタグ１は製造される。
【００７４】
なお、セパレータ３７は長手方向に延長して設けられているため、図９に示すように、複数のＩＣタグ１を長手方向に設けることができる。
また、図９に示す状態で、セパレータ３７をロール状に巻くことによって、複数のＩＣタグ１が設けられたセパレータ３７を一本のロール状にして保管、輸送することができる。
【００７５】
ＩＣタグ１を製品に貼り付ける場合は、ＩＣタグ１をセパレータ３７から剥離して、粘着層１１ａを製品の表面に貼り付ける。
【００７６】
このように、第１の実施の形態によれば、ＩＣタグ１が、ＩＣメモリおよび／またはアンテナ２３ａ、２３ｂが動作可能な温度範囲外の温度になると不可逆的に変色する温度変色インキ１７ａ、１７ｂを有している。
【００７７】
また、ＩＣタグ１が、ＩＣメモリおよび／またはアンテナ２３ａ、２３ｂが動作可能な湿度範囲外の湿度になると不可逆的に変色する湿度履歴表示部４１を有している。
【００７８】
従って、温度変色インキ１７ａ、１７ｂおよび湿度履歴表示部４１の変色の有無を見ることにより、ＩＣタグ１がどのような温度、湿度環境下で使用されていたのかを調べることができ、劣化や故障の原因の特定が容易になる。
【００７９】
次に、第２の実施形態について説明する。
図１０は第２の実施形態に係るＩＣタグ１ａの層構成を示す断面図であって、図１１は図１０のＡ２方向矢視図である。
【００８０】
なお、第２の実施形態において、第１の実施形態に係るＩＣタグ１と同様の機能を果たす要素には同一の番号を付し、説明を省略する。
【００８１】
第２の実施形態に係るＩＣタグ１ａは、第１の実施形態に係るＩＣタグ１において、上紙７の表層１３を染色部としたものである。
【００８２】
図１０および図１１に示すように、ＩＣタグ１ａの上紙７の表層１３には、湿度履歴表示用インキ４３が設けられている。
【００８３】
ＩＣメモリおよび／またはアンテナ２３ａ、２３ｂが動作可能な湿度範囲内の環境にＩＣタグ１ｂが置かれている場合は、図１１（ａ）に示すように、水溶性染料５１は湿度履歴表示用インキ４３中に分散しており、また、隠蔽用顔料に隠蔽されているため、その色を見ることはできない。
【００８４】
一方、ＩＣメモリおよび／またはアンテナ２３ａ、２３ｂが動作可能な湿度範囲外の環境にＩＣタグ１ａが置かれた場合、例えばＩＣタグが結露するような環境に置かれた場合は、湿度履歴表示用インキ４３に空気中の水分が付着する。
【００８５】
すると、水溶性染料５１は湿度履歴表示用インキ４３から分離して、付着した水に溶出し、図１１（ｂ）に示すように、表層１３に染み出すことにより、表層１３を染色する。
【００８６】
即ち、第２の実施形態では上紙７の表層１３が染色部として用いられており、表層１３と湿度履歴表示用インキ４３とで湿度変色部を構成している。
なお、湿度履歴表示用インキ４３は、印刷により上紙７の表層１３に設けられる。
【００８７】
このように、第２の実施形態によれば、ＩＣタグ１ａが、ＩＣメモリおよび／またはアンテナ２３ａ、２３ｂが動作可能な温度範囲外の温度になると不可逆的に変色する温度変色インキ１７ａ、１７ｂを有している。
【００８８】
また、ＩＣタグ１ａが、湿度履歴表示用インキ４３を有しており、ＩＣメモリおよび／またはアンテナ２３ａ、２３ｂが動作可能な湿度範囲外の湿度になると、湿度履歴表示用インキ４３の水溶性染料５１が表層１３を染色する。
【００８９】
従って、第１の実施形態と同様の効果を奏する。
【００９０】
また、第２の実施形態によれば、染色部を別途設ける必要がないので、第１の実施形態と比較して構造が簡易である。
【００９１】
次に、第３の実施形態について説明する。
図１２は第３の実施形態に係るＩＣタグ１ｂの層構成を示す断面図であって、図１３は図１２のＡ３方向矢視図である。
【００９２】
なお、第３の実施形態において、第１の実施形態に係るＩＣタグ１と同様の機能を果たす要素には同一の番号を付し、説明を省略する。
【００９３】
第３の実施形態に係るＩＣタグ１ｂは、第１の実施形態に係るＩＣタグ１において、湿度変色部として、湿度により不可逆的に変色する湿度変色インキ１７ｃを設けたものである。
【００９４】
図１２および図１３に示すように、ＩＣタグ１ｂは上紙７の表層１３上に湿度変色インキ１７ｃを有している。
湿度変色インキ１７ｃは、湿度により不可逆的に変色するインキである。
【００９５】
ＩＣメモリおよび／またはアンテナ２３ａ、２３ｂが動作可能な湿度範囲内の環境にＩＣタグ１ｂが置かれている場合は、図１３（ａ）に示すように、湿度変色インキ１７ｃは変色しない。
【００９６】
一方、ＩＣメモリおよび／またはアンテナ２３ａ、２３ｂが動作可能な上限湿度以上の環境にＩＣタグ１ｂが置かれた場合は、図１３（ｂ）に示すように、湿度変色インキ１７ｃが不可逆的に変色する。
【００９７】
従って、湿度変色インキ１７ｃの変色の有無を見ることにより、ＩＣメモリおよび／またはアンテナ２３ａ、２３ｂが動作可能な湿度範囲内の環境にＩＣタグ１ｂが置かれていたか否かを視覚的に認識することができる。
【００９８】
湿度変色インキ１７ｃを構成する材料としては、湿度により不可逆的に変色するインキであれば特に限定されるものではない。
【００９９】
このように、第３の実施形態によれば、ＩＣタグ１ｂが、ＩＣメモリおよび／またはアンテナ２３ａ、２３ｂが動作可能な温度範囲外の温度になると不可逆的に変色する温度変色インキ１７ａ、１７ｂを有している。
【０１００】
また、ＩＣタグ１ｂが、ＩＣメモリおよび／またはアンテナ２３ａ、２３ｂが動作可能な湿度範囲外の湿度になると不可逆的に変色する湿度変色インキ１７ｃを有している。
【０１０１】
従って、第１の実施形態と同様の効果を奏する。
【０１０２】
また、第３の実施形態によれば、湿度変色インキ１７ｃは、インキ自体が変色するものであり、変色時に染料が溶出しないので、インキの周囲を汚す恐れがない。
【０１０３】
以上、添付図面を参照しながら、本発明の実施形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【図面の簡単な説明】
【０１０４】
【図１】ＩＣタグ１の層構成を示す断面図
【図２】図１のＡ方向矢視図
【図３】図１のインレット層３のＡ方向矢視図
【図４】図１のＡ方向矢視図
【図５】図１のＡ方向矢視図
【図６】図１のＡ方向矢視図
【図７】ＩＣタグ１の製造方法を示す図
【図８】ＩＣタグ１の製造方法を示す図
【図９】ＩＣタグ１の製造方法を示す図
【図１０】ＩＣタグ１ａの層構成を示す断面図
【図１１】図１０のＡ２方向矢視図
【図１２】ＩＣタグ１ｂの層構成を示す断面図
【図１３】図１２のＡ３方向矢視図
【符号の説明】
【０１０５】
１…………ＩＣタグ
１ａ………ＩＣタグ
１ｂ………ＩＣタグ
３…………インレット層
５…………両面テープ
７…………上紙
９…………ベースフィルム層
１１ａ……粘着層
１３………表層
１５………粘着層
１７ａ……温度変色インキ
２１………基材
２３ａ……アンテナ
２５ａ……接続端子
２９………ＩＣチップ
３１ａ……接続端子
３３………導通部材
３５ａ……セパレータ
３７………セパレータ
４１………湿度履歴表示部
４３………湿度履歴表示用インキ
４５………染色部
５１………水溶性染料
【図１】
2008146558.tif 000003
【図２】
2008146558.tif 000004
【図３】
2008146558.tif 000005
【図４】
2008146558.tif 000006
【図５】
2008146558.tif 000007
【図６】
2008146558.tif 000008
【図７】
2008146558.tif 000009
【図８】
2008146558.tif 000010
【図９】
2008146558.tif 000011
【図１０】
2008146558.tif 000012
【図１１】
2008146558.tif 000013
【図１２】
2008146558.tif 000014
【図１３】
2008146558.tif 000015